【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
基地局のためのワイヤレス通信の方法であって、
周波数分割複信(FDD)モードまたは時分割複信(TDD)モードを備える狭帯域通信のためのフレーム構造と、TDDフレーム構造のグループからのTDD狭帯域通信のための特定のTDDフレーム構造とを決定するステップと、
前記狭帯域通信のために決定される前記TDDフレーム構造を使用して、2次同期信号(SSS)を送信するステップであって、前記SSSは、2フレーム以上の周期で送信され、前記SSSは、1次同期信号(PSS)とは異なるフレームにおいて、異なるサブフレーム番号で送信され、前記PSSが、偶数番号または奇数番号のフレームのうちの一方において2フレーム以上の周期で送信され、前記SSSが前記偶数番号または奇数番号のフレームのうちの他方において送信される、ステップと
を含み、
前記PSSおよび前記SSSが、異なる狭帯域キャリアを使用して送信される、方法。
【請求項２】
前記TDDフレーム構造を使用した前記SSSの送信に関連付けられる周期が、前記狭帯域通信のためのFDDフレーム構造のための第2のSSSの送信と関連付けられる周期と比べて、短縮される、または延長される、請求項1に記載の方法。
【請求項３】
前記SSSの送信に関連付けられる前記周期、前記SSSの送信に関連付けられる時間的な位置、および前記SSSの送信に関連付けられる周波数的な位置のうちの少なくとも1つが、狭帯域通信に関連付けられる前記TDDフレーム構造に関連する、請求項2に記載の方法。
【請求項４】
前記狭帯域通信のために決定される前記TDDフレーム構造を使用して前記PSSを送信するステップをさらに含む、請求項1に記載の方法。
【請求項５】
前記PSSが、特定のサブフレームを使用して送信され、
前記PSSが、すべてのフレームにおいては送信されず、
前記SSSが、前記PSSが送信されない少なくとも1つのフレームにおいて前記特定のサブフレームを使用して送信される、請求項4に記載の方法。
【請求項６】
前記PSSが、特定のサブフレームを使用して送信され、
前記SSSが、前記特定のサブフレーム以外のサブフレームを使用して送信される、請求項4に記載の方法。
【請求項７】
SSSシーケンスと、前記PSSおよび前記SSSの送信間の所定の距離とを決定するステップであって、前記SSSシーケンスおよび前記所定の距離のうちの少なくとも1つは、前記狭帯域通信に関連付けられる情報をユーザ機器に伝えるように構成され、前記情報は、前記TDDモードと、前記FDDモードと、狭帯域通信のために決定される前記TDDフレーム構造と、前記TDDに関連付けられる帯域幅と、前記SSSもしくは前記PSSのうちの1つまたは複数を送信するために使用される第2のキャリアに対する、物理ブロードキャストチャネル(PBCH)もしくはシステム情報ブロック(SIB)を送信するために使用される第1のキャリアの周波数オフセットとのうちの、少なくとも1つを含む、ステップをさらに含む、請求項6に記載の方法。
【請求項８】
TDDフレーム構造の前記グループの中の各TDDフレーム構造の中の少なくとも1つの共通のサブフレームが、ダウンリンクサブフレームとして構成され、
前記SSSは、前記狭帯域通信のために決定される前記TDDフレーム構造の中の前記少なくとも1つの共通のサブフレームを使用して送信される、請求項1に記載の方法。
【請求項９】
前記TDDフレーム構造の前記グループが、狭帯域通信に利用可能なすべてのTDDフレーム構造のサブセットを含む、請求項8に記載の方法。
【請求項１０】
前記SSSは、前記PSSを伴わないフレームにおいて送信される、請求項1に記載の方法。
【請求項１１】
基地局のためのワイヤレス通信の装置であって、
周波数分割複信(FDD)モードまたは時分割複信(TDD)モードを備える狭帯域通信のためのフレーム構造と、TDDフレーム構造のグループからのTDD狭帯域通信のための特定のTDDフレーム構造とを決定するための手段と、
前記狭帯域通信のために決定される前記TDDフレーム構造を使用して、2次同期信号(SSS)を送信するための手段であって、前記SSSは、2フレーム以上の周期で送信され、前記SSSは、1次同期信号(PSS)とは異なるフレームにおいて、異なるサブフレーム番号で送信され、前記PSSが、偶数番号または奇数番号のフレームのうちの一方において2フレーム以上の周期で送信され、前記SSSが前記偶数番号または奇数番号のフレームのうちの他方において送信される、手段と
を備え、
前記PSSおよび前記SSSが、異なる狭帯域キャリアを使用して送信される、装置。
【請求項１２】
前記TDDフレーム構造を使用した前記SSSの送信に関連付けられる周期が、前記狭帯域通信のためのFDDフレーム構造のための第2のSSSの送信と関連付けられる周期と比べて、短縮される、または延長される、請求項11に記載の装置。
【請求項１３】
前記SSSの送信に関連付けられる前記周期、前記SSSの送信に関連付けられる時間的な位置、および前記SSSの送信に関連付けられる周波数的な位置のうちの少なくとも1つが、狭帯域通信に関連付けられる前記TDDフレーム構造に関連する、請求項12に記載の装置。
【請求項１４】
前記狭帯域通信のために決定される前記TDDフレーム構造を使用して前記PSSを送信するための手段をさらに備える、請求項11に記載の装置。
【請求項１５】
前記PSSが特定のサブフレームを使用して送信され、
前記PSSがすべてのフレームにおいては送信されず、
前記SSSが、前記PSSが送信されない少なくとも1つのフレームにおいて前記特定のサブフレームを使用して送信される、請求項14に記載の装置。
【請求項１６】
前記PSSが、特定のサブフレームを使用して送信され、
前記SSSが、前記特定のサブフレーム以外のサブフレームを使用して送信される、請求項14に記載の装置。
【請求項１７】
SSSシーケンスと、前記PSSおよび前記SSSの送信間の所定の距離とを決定するための手段であって、前記SSSシーケンスおよび前記所定の距離のうちの少なくとも1つは、前記狭帯域通信に関連付けられる情報をユーザ機器に伝えるように構成され、前記情報は、前記TDDモードと、前記FDDモードと、狭帯域通信のために決定される前記TDDフレーム構造と、前記TDDに関連付けられる帯域幅と、前記SSSもしくは前記PSSのうちの1つまたは複数を送信するために使用される第2のキャリアに対する、物理ブロードキャストチャネル(PBCH)もしくはシステム情報ブロック(SIB)を送信するために使用される第1のキャリアの周波数オフセットとのうちの、少なくとも1つを含む、手段をさらに含む、請求項16に記載の装置。
【請求項１８】
TDDフレーム構造の前記グループの中の各TDDフレーム構造の中の少なくとも1つの共通のサブフレームが、ダウンリンクサブフレームとして構成され、
前記SSSは、前記狭帯域通信のために決定される前記TDDフレーム構造の中の前記少なくとも1つの共通のサブフレームを使用して送信される、請求項11に記載の装置。
【請求項１９】
前記TDDフレーム構造の前記グループが、狭帯域通信に利用可能なすべてのTDDフレーム構造のサブセットを含む、請求項18に記載の装置。
【請求項２０】
基地局のためのワイヤレス通信のための装置であって、
メモリと、
前記メモリに結合された少なくとも1つのプロセッサと
を備え、前記少なくとも1つのプロセッサが、
周波数分割複信(FDD)モードまたは時分割複信(TDD)モードを備える狭帯域通信のためのフレーム構造と、TDDフレーム構造のグループからのTDD狭帯域通信のための特定のTDDフレーム構造とを決定することと、
前記狭帯域通信のために決定される前記TDDフレーム構造を使用して、2次同期信号(SSS)を送信することであって、前記SSSは、2フレーム以上の周期で送信され、前記SSSは、1次同期信号(PSS)とは異なるフレームにおいて、異なるサブフレーム番号で送信され、前記PSSが、偶数番号または奇数番号のフレームのうちの一方において2フレーム以上の周期で送信され、前記SSSが前記偶数番号または奇数番号のフレームのうちの他方において送信される、送信することと
を行うように構成され、
前記PSSおよび前記SSSが、異なる狭帯域キャリアを使用して送信される、装置。
【請求項２１】
前記TDDフレーム構造を使用した前記SSSの送信に関連付けられる周期が、前記狭帯域通信のためのFDDフレーム構造のための第2のSSSの送信と関連付けられる周期と比べて、短縮される、または延長される、請求項20に記載の装置。
【請求項２２】
前記SSSの送信に関連付けられる前記周期、前記SSSの送信に関連付けられる時間的な位置、および前記SSSの送信に関連付けられる周波数的な位置のうちの少なくとも1つが、狭帯域通信に関連付けられる前記TDDフレーム構造に関連する、請求項21に記載の装置。
【請求項２３】
前記少なくとも1つのプロセッサが、前記狭帯域通信のために決定される前記TDDフレーム構造を使用して前記PSSを送信するようにさらに構成される、請求項20に記載の装置。
【請求項２４】
前記PSSが特定のサブフレームを使用して送信され、
前記PSSがすべてのフレームにおいては送信されず、
前記SSSが、前記PSSが送信されない少なくとも1つのフレームにおいて前記特定のサブフレームを使用して送信される、請求項23に記載の装置。
【請求項２５】
前記PSSが、特定のサブフレームを使用して送信され、
前記SSSが、前記特定のサブフレーム以外のサブフレームを使用して送信される、請求項23に記載の装置。
【請求項２６】
前記少なくとも1つのプロセッサは、
SSSシーケンスと、前記PSSおよび前記SSSの送信間の所定の距離とを決定することであって、前記SSSシーケンスおよび前記所定の距離のうちの少なくとも1つは、前記狭帯域通信に関連付けられる情報をユーザ機器に伝えるように構成され、前記情報は、前記TDDモードと、前記FDDモードと、狭帯域通信のために決定される前記TDDフレーム構造と、前記TDDに関連付けられる帯域幅と、前記SSSもしくは前記PSSのうちの1つまたは複数を送信するために使用される第2のキャリアに対する、物理ブロードキャストチャネル(PBCH)もしくはシステム情報ブロック(SIB)を送信するために使用される第1のキャリアの周波数オフセットとのうちの、少なくとも1つを含む、決定することを
さらに行うように構成される、請求項25に記載の装置。
【請求項２７】
TDDフレーム構造の前記グループの中の各TDDフレーム構造の中の少なくとも1つの共通のサブフレームが、ダウンリンクサブフレームとして構成され、
前記SSSは、前記狭帯域通信のために決定される前記TDDフレーム構造の中の前記少なくとも1つの共通のサブフレームを使用して送信される、請求項20に記載の装置。
【請求項２８】
前記TDDフレーム構造の前記グループが、狭帯域通信に利用可能なすべてのTDDフレーム構造のサブセットを含む、請求項27に記載の装置。
【請求項２９】
基地局のためのコンピュータ実行可能コードを記録するコンピュータ可読記録媒体であって、前記コンピュータ実行可能コードが、
周波数分割複信(FDD)モードまたは時分割複信(TDD)モードを備える狭帯域通信のためのフレーム構造と、TDDフレーム構造のグループからのTDD狭帯域通信のための特定のTDDフレーム構造とを決定するためのコードと、
前記狭帯域通信のために決定される前記TDDフレーム構造を使用して、2次同期信号(SSS)を送信するためのコードであって、前記SSSは、2フレーム以上の周期で送信され、前記SSSは、1次同期信号(PSS)とは異なるフレームにおいて、異なるサブフレーム番号で送信され、前記PSSが、偶数番号または奇数番号のフレームのうちの一方において2フレーム以上の周期で送信され、前記SSSが前記偶数番号または奇数番号のフレームのうちの他方において送信される、コードと
を含み、
前記PSSおよび前記SSSが、異なる狭帯域キャリアを使用して送信される、コンピュータ可読記録媒体。
【請求項３０】
前記TDDフレーム構造を使用した前記SSSの送信に関連付けられる周期が、前記狭帯域通信のためのFDDフレーム構造のための第2のSSSの送信と関連付けられる周期と比べて、短縮される、または延長される、請求項29に記載のコンピュータ可読記録媒体。
【請求項３１】
前記SSSの送信に関連付けられる前記周期、前記SSSの送信に関連付けられる時間的な位置、および前記SSSの送信に関連付けられる周波数的な位置のうちの少なくとも1つが、狭帯域通信に関連付けられる前記TDDフレーム構造に関連する、請求項30に記載のコンピュータ可読記録媒体。
【請求項３２】
前記コンピュータ実行可能コードが、前記狭帯域通信のために決定される前記TDDフレーム構造を使用して前記PSSを送信するためのコードをさらに含む、請求項29に記載のコンピュータ可読記録媒体。
【請求項３３】
前記PSSが特定のサブフレームを使用して送信され、
前記PSSがすべてのフレームにおいては送信されず、
前記SSSが、前記PSSが送信されない少なくとも1つのフレームにおいて前記特定のサブフレームを使用して送信される、請求項32に記載のコンピュータ可読記録媒体。
【請求項３４】
前記PSSが、特定のサブフレームを使用して送信され、
前記SSSが、前記特定のサブフレーム以外のサブフレームを使用して送信される、請求項32に記載のコンピュータ可読記録媒体。
【請求項３５】
前記コンピュータ実行可能コードが、
SSSシーケンスと、前記PSSおよび前記SSSの送信間の所定の距離とを決定するためのコードであって、前記SSSシーケンスおよび前記所定の距離のうちの少なくとも1つは、前記狭帯域通信に関連付けられる情報をユーザ機器に伝えるように構成され、前記情報は、前記TDDモードと、前記FDDモードと、狭帯域通信のために決定される前記TDDフレーム構造と、前記TDDに関連付けられる帯域幅と、前記SSSもしくは前記PSSのうちの1つまたは複数を送信するために使用される第2のキャリアに対する、物理ブロードキャストチャネル(PBCH)もしくはシステム情報ブロック(SIB)を送信するために使用される第1のキャリアの周波数オフセットとのうちの、少なくとも1つを含む、コードをさらに含む、請求項34に記載のコンピュータ可読記録媒体。
【請求項３６】
TDDフレーム構造の前記グループの中の各TDDフレーム構造の中の少なくとも1つの共通のサブフレームが、ダウンリンクサブフレームとして構成され、
前記SSSは、前記狭帯域通信のために決定される前記TDDフレーム構造の中の前記少なくとも1つの共通のサブフレームを使用して送信される、請求項29に記載のコンピュータ可読記録媒体。
【請求項３７】
前記TDDフレーム構造の前記グループが、狭帯域通信に利用可能なすべてのTDDフレーム構造のサブセットを含む、請求項36に記載のコンピュータ可読記録媒体。